(57)【要約】【課題】輝度差の少ない画像の動きがある場合、輪郭がはっきりしない画像の動きがある場合等において、残像軽減効果を改善する。【解決手段】現フィールドの画像信号Ｖ０から１フィールド前の画像信号Ｖ−１′を減算器４０３で差し引き、ノイズ及び動き成分を含む減算信号を得る。この減算信号から低周波帯域の信号ＳＬ及び高周波帯域の信号ＳＨを取り出す。信号ＳＬ，ＳＨの絶対値を取ると共に一定値以上を制限して動き量検出信号ＭＤＬ，ＭＤＨを得る。この信号ＭＤＬ，ＭＤＨを引き延ばし回路４０７，４１２に供給し、少なくとも水平方向または垂直方向に引き延ばす。この引き延ばしにより、動き開始部分で信号ＭＤＬ，ＭＤＨが小さい場合にも、それを大きくできる。引き延ばされた動き量検出信号ＭＤＬ′，ＭＤＨ′に基づいて、フィードバック係数ｋＬ，ｋＨを発生し、信号ＳＬ，ＳＨに掛算して抽出ノイズｎＬ，ｎＨを得る。【選択図】　　　　図３
2004096628.tif 000002
【特許請求の範囲】
【請求項１】
ノイズ除去が行われた１フィールド前または１フレーム前の画像信号と現フィールドまたは現フレームの画像信号とを用いてノイズを抽出し、該ノイズを上記現フィールドまたは現フレームの画像信号から差し引いて、上記ノイズ除去が行われた現フィールドまたは現フレームの画像信号を得る巡回型ノイズリダクション装置であって、
上記現フィールドまたは現フレームの画像信号から、１フィールド前または１フレーム前の画像信号を差し引く第１の減算手段と、
上記第１の減算手段の出力信号に基づいて動き量検出信号を得る動き量検出手段と、
上記動き量検出手段で得られた動き量検出信号を少なくとも水平方向または直方向に引き延ばす信号引き延ばし手段と、
上記信号引き延ばし手段より出力される動き量検出信号に基づいてフィードバック係数を発生するフィードバック係数発生手段と、
上記第１の減算手段の出力信号に上記フィードバック係数発生手段で発生されたフィードバック係数を掛算する掛算手段と、
上記掛算手段の出力信号を上記抽出されたノイズとし、該ノイズを上記現フィールドまたは現フレームの画像信号から差し引いて上記ノイズ除去が行われた現フィールドまたは現フレームの画像信号を得る第２の減算手段と
を備えることを特徴とする巡回型ノイズリダクション装置。
【請求項２】
上記動き量検出手段は、
上記第１の減算手段の出力信号の絶対値をとると共に、一定レベル以上の絶対値信号に対して出力信号のレベルを一定値に抑えて動き量検出信号を得る
ことを特徴とする請求項１に記載の巡回型ノイズリダクション装置。
【請求項３】
上記信号引き延ばし手段は、
上記動き量検出手段より出力される動き量検出信号のうち注目画素を含む所定範囲の画素に対応した動き量検出信号を用い、該所定範囲の画素に対応した動き量検出信号の最大値をとって、上記注目画素に対応した動き量検出信号の引き延ばしを行う
ことを特徴とする請求項１に記載の巡回型ノイズリダクション装置。
【請求項４】
上記第２の減算手段の出力信号を１フィールド期間または１フレーム期間だけ遅延させる遅延手段と、
上記第２の減算手段の出力信号および上記遅延手段の出力信号に基づいて動きベクトルを検出する動きベクトル検出手段と、
上記動きベクトル検出手段で検出される動きベクトルにより上記遅延手段の出力信号に対して動きベクトル補正を行って上記ノイズ除去が行われた１フィールド前または１フレーム前の画像信号を得る動きベクトル補正手段とをさらに備える
ことを特徴とする請求項１に記載の巡回型ノイズリダクション装置。
【請求項５】
ノイズ除去が行われた１フィールド前または１フレーム前の画像信号と現フィールドまたは現フレームの画像信号とを用いてノイズを抽出し、該ノイズを上記現フィールドまたは現フレームの画像信号から差し引いて、上記ノイズ除去が行われた現フィールドまたは現フレームの画像信号を得る巡回型ノイズリダクション方法であって、
上記現フィールドまたは現フレームの画像信号から、１フィールド前または１フレーム前の画像信号を差し引く第１のステップと、
上記第１のステップで得られた減算信号に基づいて動き量検出信号を得る第２のステップと、
上記第２のステップで得られた動き量検出信号を少なくとも水平方向または垂直方向に引き延ばす第３のステップと、
上記第３のステップで引き延ばされた動き量検出信号に基づいてフィードバック係数を発生する第４のステップと、
上記第１のステップで得られた減算信号に上記第４のステップで発生されたフィードバック係数を掛算する第５のステップと、
上記第５のステップで得られた信号を上記抽出されたノイズとし、該ノイズを上記現フィールドまたは現フレームの画像信号から差し引いて上記ノイズ除去が行われた現フィールドまたは現フレームの画像信号を得る第６のステップと
を備えることを特徴とする巡回型ノイズリダクション方法。
【請求項６】
ノイズ除去が行われた１フィールド前または１フレーム前の画像信号と現フィールドまたは現フレームの画像信号とを用いてノイズを抽出し、該ノイズを上記現フィールドまたは現フレームの画像信号から差し引いて、上記ノイズ除去が行われた現フィールドまたは現フレームの画像信号を得る巡回型ノイズリダクション装置であって、
上記現フィールドまたは現フレームの画像信号から、１フィールド前または１フレーム前の画像信号を差し引く第１の減算手段と、
上記第１の減算手段の出力信号を複数の周波数帯域の信号に分割するフィルタ手段と、
上記フィルタ手段より出力される複数の周波数帯域の信号のそれぞれに基づいて動き量検出信号を得る複数の動き量検出手段と、
上記複数の動き量検出手段より出力される複数の動き量検出信号のうち、最も低域の周波数帯域を除く高域側の周波数帯域の動き量検出信号のそれぞれを、上記最も低域の周波数帯域の動き量検出信号により調整する信号調整手段と、
上記信号調整手段で調整された上記高域側の周波数帯域の動き量検出信号および上記最も低域の周波数帯域の動き量検出信号に基づいて、それぞれフィードバック係数を発生する複数のフィードバック係数発生手段と、
上記フィルタ手段より出力される複数の周波数帯域の信号に、それぞれ上記複数のフィードバック係数発生手段で発生されたフィードバック係数を掛算する複数の掛算手段と、
上記複数の掛算手段の出力信号を加算する加算手段と、
上記加算手段の出力信号を上記抽出されたノイズとし、該ノイズを上記現フィールドまたは現フレームの画像信号から差し引いて上記ノイズ除去が行われた現フィールドまたは現フレームの画像信号を得る第２の減算手段と
を備えることを特徴とする巡回型ノイズリダクション装置。
【請求項７】
上記複数の動き量検出手段は、それぞれ
上記フィルタ手段より出力される信号の絶対値をとると共に、一定レベル以上の絶対値信号に対して出力信号のレベルを一定値に抑えて動き量検出信号を得る
ことを特徴とする請求項６に記載の巡回型ノイズリダクション装置。
【請求項８】
上記信号調整手段は、
上記高域側の周波数帯域の動き量検出信号のそれぞれについて、該動き量検出信号と上記最も低域の周波数帯域の動き量検出信号に所定係数を掛けた信号とから最大のものを選択し、該選択された信号を調整された動き量検出信号とする
ことを特徴とする請求項６に記載の巡回型ノイズリダクション装置。
【請求項９】
ノイズ除去が行われた１フィールド前または１フレーム前の画像信号と現フィールドまたは現フレームの画像信号とを用いてノイズを抽出し、該ノイズを上記現フィールドまたは現フレームの画像信号から差し引いて、上記ノイズ除去が行われた現フィールドまたは現フレームの画像信号を得る巡回型ノイズリダクション方法であって、
上記現フィールドまたは現フレームの画像信号から、１フィールド前または１フレーム前の画像信号を差し引く第１のステップと、
上記第１のステップで得られた減算信号を複数の周波数帯域の信号に分割する第２のステップと、
上記第２のステップで得られた複数の周波数帯域の信号のそれぞれに基づいて複数の動き量検出信号を得る第３のステップと、
上記第３のステップで得られた複数の動き量検出信号のうち、最も低域の周波数帯域を除く高域側の周波数帯域の動き量検出信号のそれぞれを、上記最も低域の周波数帯域の動き量検出信号により調整する第４のステップと、
上記第４のステップで調整された上記高域側の周波数帯域の動き量検出信号および上記最も低域の周波数帯域の動き量検出信号に基づいて、それぞれフィードバック係数を発生する第５のステップと、
上記第２のステップで得られた複数の周波数帯域の信号にそれぞれ上記第５のステップで発生された複数のフィードバック係数を掛算し、該掛算によって得られた複数の信号を加算する第６のステップと、
上記第６のステップで得られた信号を上記抽出されたノイズとし、該ノイズを上記現フィールドまたは現フレームの画像信号から差し引いて上記ノイズ除去が行われた現フィールドまたは現フレームの画像信号を得る第７のステップと
を備えることを特徴とする巡回型ノイズリダクション方法。
【請求項１０】
ノイズ除去が行われた１フィールド前の画像信号と現フィールドの画像信号とを用いてノイズを抽出し、該ノイズを上記現フィールドの画像信号から差し引いて上記ノイズ除去が行われた現フィールドの画像信号を得る巡回型ノイズリダクション部と、
上記巡回型ノイズリダクション部の出力信号を１フィールド期間だけ遅延させる遅延回路と、
上記巡回型ノイズリダクション部の出力信号および上記遅延回路の出力信号に基づいて動きベクトルを検出する動きベクトル検出回路と、
上記動きベクトル検出回路で検出される動きベクトルにより上記遅延回路の出力信号に対して動きベクトル補正を行って上記ノイズ除去が行われた１フィールド前の画像信号を得る動きベクトル補正回路と、
上記巡回型ノイズリダクション部の出力信号および上記動きベクトル補正回路の出力信号に基づいて、プログレッシブ方式の画像信号を得るフィールド間補間回路と
を備えることを特徴とする画像信号処理装置。
【発明の詳細な説明】
【０００１】
【発明の属する技術分野】
この発明は、画像表示装置等に適用して好適な巡回型のノイズリダクション装置およびノイズリダクション方法、並びに画像信号処理装置に関する。
【０００２】
詳しくは、この発明は、動き量検出信号を少なくとも水平方向または垂直方向に引き延ばし、この引き延ばされた動き量検出信号に基づいてフィードバック量を制御する構成とすることによって、帯域分割数が多い場合、輝度差の少ない画像の動きがある場合、輪郭がはっきりしない画像の動きがある場合等において、残像軽減効果が改善されるようにした巡回型のノイズリダクション装置およびノイズリダクション方法に係るものである。
【０００３】
また、この発明は、複数の周波数帯域に分割し、各周波数帯域毎に動き量検出信号を得てフィードバック量を制御する場合に、高域側の周波数帯域の動き量検出信号を最も低域の周波数帯域の動き検出量によって調整することによって、高域側の周波数帯域におけるフィードバック量の制御を改善し、高域の残像軽減効果が改善されるようにした巡回型のノイズリダクション装置およびノイズリダクション方法に係るものである。
【０００４】
また、この発明は、巡回型ノイズリダクション部で用いる１フィールド前の画像信号を得るための遅延回路および動きベクトル補正回路を、プログレッシブ方式の画像信号を得るためのフィールド間補間回路で用いる１フィールド前の画像信号を得るためにも使用する構成とすることによって、回路規模を大幅に縮小し、安価に構成できるようにした画像信号処理装置に係るものである。
【０００５】
【従来の技術】
従来、画像信号からノイズを除去するためのノイズリダクション装置として、例えば特開平１０−２４８０２６公報等に記載された巡回型ノイズリダクション装置が知られている。
【０００６】
この巡回型ノイズリダクション装置は、ノイズ除去が行われた１フィールド前または１フレーム前の画像信号と現フィールドまたは現フレームの画像信号とを用いてノイズを抽出し、このノイズを現フィールドまたは現フレームの画像信号から差し引いて、ノイズ除去が行われた現フィールドまたは現フレームの画像信号を得るように構成される。
【０００７】
この巡回型ノイズリダクション装置では、その構成上から画像に動きがある場合に残像が発生する。そこで従来、動き量を検出し、この動き量に応じてフィードバック量を制御し、動きがある場合の残像を軽減することが行われている。
【０００８】
また、この巡回型ノイズリダクション装置として、例えば特開平７−１７７３９３号公報等に、複数の周波数帯域に分割し、分割された周波数帯域毎に動き量検出信号を得てフィードバック量を制御することが記載されている。これによれば、周波数帯域毎に、動きがある場合の残像の軽減を最適に行い得るようになる。
【０００９】
また、この巡回型ノイズリダクション装置で、ノイズ除去が行われた１フィールド前の画像信号を得るために、画像信号を１フィールド期間だけ遅延させる遅延回路と、この遅延回路で遅延された画像信号の動きベクトル補正をする動きベクトル補正回路を備えることが考えられる。一方、巡回型ノイズリダクション装置でノイズ除去が行われた画像信号に対してフィールド間補間を行ってプログレッシブ方式の画像信号を得ることが考えられる。この場合、フィールド間補間回路においても１フィールド前の画像信号が必要となる。
【００１０】
【発明が解決しようとする課題】
上述したように、巡回型ノイズリダクション装置において、動き量を検出し、この動き量に応じてフィードバック量を制御し、動きがある場合の残像を軽減するものにあっては、帯域分割数が多い場合、輝度差の少ない画像の動きがある場合、輪郭がはっきりしない画像の動きがある場合等では、図１０に示すように、動き開始部分で得られる動き量検出信号のレベルが小さく、従って残像を充分に軽減することができないという不都合があった。図１０において、Ｖ０は現フィールドまたは現フレームの画像信号、Ｖ−１は１フィールド前または１フレーム前の画像信号、ＳＤは動き量検出信号としての画像信号Ｖ０，Ｖ−１の差分値を示している。
【００１１】
また上述したように、複数の周波数帯域に分割し、分割された周波数帯域毎に動き量検出信号を得てフィードバック量を制御する場合、高域の動き量検出に当たって、例えば、図１１に示すように、波長とフィールドまたはフレーム当たりの移動速度が同じになるような動き速度のときには、動き量の検出が不可能となる。この場合、高域では残像が軽減されないという不都合がある。図１１において、Ｖ０は現フィールドまたは現フレームの画像信号（高域）、Ｖ−１は１フィールド前または１フレーム前の画像信号（高域）、ＳＤは動き量検出信号としての画像信号Ｖ０，Ｖ−１の差分値を示している。
【００１２】
また、上述したように、巡回型ノイズリダクション装置でノイズ除去が行われた画像信号に対してフィールド間補間を行ってプログレッシブ方式の画像信号を得る場合に、ノイズリダクションに使用する１フィールド前の画像信号を得るための遅延回路および動きベクトル補正回路とは別個の遅延回路および動きベクトル補正回路を設けるとすれば、画像信号処理装置の回路規模が大きくなり、また高価なものとなる。
【００１３】
この発明の目的は、動き量を検出し、この動き量に応じてフィードバック量を制御する巡回型のノイズリダクション装置およびノイズリダクション方法にあって、帯域分割数が多い場合、輝度差の少ない画像の動きがある場合、輪郭がはっきりしない画像の動きがある場合等において、残像軽減効果を改善することにある。
【００１４】
また、この発明の他の目的は、複数の周波数帯域に分割し、分割された周波数帯域毎に動き量検出信号を得てフィードバック量を制御する巡回型のノイズリダクション装置およびノイズリダクション方法にあって、高域側の周波数帯域におけるフィードバック量の制御を改善し、高域の残像軽減を改善することにある。
【００１５】
さらに、この発明の別の目的は、巡回型のノイズリダクションを行うと共に、ノイズが除去された画像信号からプログレッシブ方式の画像信号を得る画像信号処理装置の回路規模を大幅に縮小し、当該画像信号処理装置を安価に構成することにある。
【００１６】
【課題を解決するための手段】
この発明に係る巡回型ノイズリダクション装置は、ノイズ除去が行われた１フィールド前または１フレーム前の画像信号と現フィールドまたは現フレームの画像信号とを用いてノイズを抽出し、このノイズを現フィールドまたは現フレームの画像信号から差し引いて、ノイズ除去が行われた現フィールドまたは現フレームの画像信号を得る巡回型ノイズリダクション装置であって、現フィールドまたは現フレームの画像信号から、１フィールド前または１フレーム前の画像信号を差し引く第１の減算手段と、この第１の減算手段の出力信号に基づいて動き量検出信号を得る動き量検出手段と、この動き量検出手段で得られた動き量検出信号を少なくとも水平方向または直方向に引き延ばす信号引き延ばし手段と、この信号引き延ばし手段より出力される動き量検出信号に基づいてフィードバック係数を発生するフィードバック係数発生手段と、第１の減算手段の出力信号にフィードバック係数発生手段で発生されたフィードバック係数を掛算する掛算手段と、この掛算手段の出力信号を抽出されたノイズとし、このノイズを現フィールドまたは現フレームの画像信号から差し引いてノイズ除去が行われた現フィールドまたは現フレームの画像信号を得る第２の減算手段とを備えるものである。
【００１７】
また、この発明に係る巡回型ノイズリダクション方法は、ノイズ除去が行われた１フィールド前または１フレーム前の画像信号と現フィールドまたは現フレームの画像信号とを用いてノイズを抽出し、このノイズを現フィールドまたは現フレームの画像信号から差し引いて、ノイズ除去が行われた現フィールドまたは現フレームの画像信号を得る巡回型ノイズリダクション方法であって、現フィールドまたは現フレームの画像信号から、１フィールド前または１フレーム前の画像信号を差し引く第１のステップと、この第１のステップで得られた減算信号に基づいて動き量検出信号を得る第２のステップと、この第２のステップで得られた動き量検出信号を少なくとも水平方向または垂直方向に引き延ばす第３のステップと、この第３のステップで引き延ばされた動き量検出信号に基づいてフィードバック係数を発生する第４のステップと、第１のステップで得られた減算信号に第４のステップで発生されたフィードバック係数を掛算する第５のステップと、この第５のステップで得られた信号を抽出されたノイズとし、このノイズを現フィールドまたは現フレームの画像信号から差し引いてノイズ除去が行われた現フィールドまたは現フレームの画像信号を得る第６のステップとを備えるものである。
【００１８】
この発明においては、現フィールドまたは現フレームの画像信号から１フィールド前または１フレーム前の画像信号が差し引かれて減算信号が得られる。この減算信号にはノイズの他に動き成分も含まれる。
【００１９】
この減算信号に基づいて動き量検出信号が得られる。例えば、減算信号の絶対値をとると共に、一定レベル以上の絶対値信号に対して出力信号のレベルを一定値に抑えることで動き量検出信号が得られる。
【００２０】
この動き量検出信号は、少なくとも水平方向または垂直方向に引き延ばされる。例えば、動き量検出信号のうち注目画素を含む所定範囲の画素に対応した動き量検出信号を用い、この所定範囲の画素に対応した動き量検出信号の最大値をとって、注目画素に対応した動き量検出信号の引き延ばしが行われる。
【００２１】
この場合、水平方向に引き延ばしを行う場合には、注目画素を含む水平方向の所定範囲の画素に対応した動き量検出信号の最大値がとられる。一方、垂直方向に引き延ばしを行う場合には、注目画素を含む水平方向の所定範囲の画素に対応した動き量検出信号の最大値がとられる。
【００２２】
引き延ばしが行われた動き量検出信号に基づいてフィードバック係数が発生される。例えば、画像信号が１サンプル８ビットの信号であって黒レベルが１６、白レベルが２４０である場合、動き量検出信号が２以下のときはフィードバック係数が０．９５とされ、動き量検出信号が２〜３２のときは、フィードバック係数が０．９５〜０とされる。
【００２３】
上述したように得られた減算信号に、上述したように発生されたフィードバック係数が掛算され、得られた信号が抽出されたノイズとされる。ここで、動き量検出信号のレベルが大きい場合には、減算信号に含まれる動き成分は多いと考えられることから、その場合にはフィードバック係数として小さな値が掛算され、動き成分が抽出されたノイズとなることが抑制される。一方、動き量検出信号のレベルが小さい場合には、減算信号に含まれる動き成分は少ないと考えられることから、その場合にはフィードバック係数として大きな値が掛算され、減算信号の多くが抽出されたノイズとなるようにされる。
【００２４】
現フィールドまたは現フレームの画像信号から、上述のように抽出されたノイズが差し引かれ、ノイズ除去が行われる。
【００２５】
上述したように、動き量検出信号を少なくとも水平方向または垂直方向に引き延ばし、この引き延ばされた動き量検出信号に基づいてフィードバック量を制御する構成とすることにより、帯域分割数が多い場合、輝度差の少ない画像の動きがある場合、輪郭がはっきりしない画像の動きがある場合等のように、動き開始部分で動き検出量が小さくなる場合であっても、充分な残像軽減効果が得られる。
【００２６】
なお、１フィールド前または１フレーム前の画像信号として、動きベクトル補正が行われた画像信号を用いることで、減算信号に含まれる動き成分を少なくでき、動き成分の影響を抑制し、ノイズ除去効果を高めることができる。
【００２７】
この発明に係る巡回型ノイズリダクション装置は、ノイズ除去が行われた１フィールド前または１フレーム前の画像信号と現フィールドまたは現フレームの画像信号とを用いてノイズを抽出し、このノイズを現フィールドまたは現フレームの画像信号から差し引いて、ノイズ除去が行われた現フィールドまたは現フレームの画像信号を得る巡回型ノイズリダクション装置であって、現フィールドまたは現フレームの画像信号から、１フィールド前または１フレーム前の画像信号を差し引く第１の減算手段と、この第１の減算手段の出力信号を複数の周波数帯域の信号に分割するフィルタ手段と、このフィルタ手段より出力される複数の周波数帯域の信号のそれぞれに基づいて動き量検出信号を得る複数の動き量検出手段と、この複数の動き量検出手段より出力される複数の動き量検出信号のうち、最も低域の周波数帯域を除く高域側の周波数帯域の動き量検出信号のそれぞれを、最も低域の周波数帯域の動き量検出信号により調整する信号調整手段と、この信号調整手段で調整された高域側の周波数帯域の動き量検出信号および最も低域の周波数帯域の動き量検出信号に基づいて、それぞれフィードバック係数を発生する複数のフィードバック係数発生手段と、フィルタ手段より出力される複数の周波数帯域の信号に、それぞれ複数のフィードバック係数発生手段で発生されたフィードバック係数を掛算する複数の掛算手段と、この複数の掛算手段の出力信号を加算する加算手段と、この加算手段の出力信号を抽出されたノイズとし、このノイズを現フィールドまたは現フレームの画像信号から差し引いてノイズ除去が行われた現フィールドまたは現フレームの画像信号を得る第２の減算手段とを備えるものである。
【００２８】
また、この発明に係る巡回型ノイズリダクション方法は、ノイズ除去が行われた１フィールド前または１フレーム前の画像信号と現フィールドまたは現フレームの画像信号とを用いてノイズを抽出し、このノイズを現フィールドまたは現フレームの画像信号から差し引いて、ノイズ除去が行われた現フィールドまたは現フレームの画像信号を得る巡回型ノイズリダクション方法であって、現フィールドまたは現フレームの画像信号から、１フィールド前または１フレーム前の画像信号を差し引く第１のステップと、この第１のステップで得られた減算信号を複数の周波数帯域の信号に分割する第２のステップと、この第２のステップで得られた複数の周波数帯域の信号のそれぞれに基づいて複数の動き量検出信号を得る第３のステップと、この第３のステップで得られた複数の動き量検出信号のうち、最も低域の周波数帯域を除く高域側の周波数帯域の動き量検出信号のそれぞれを、最も低域の周波数帯域の動き量検出信号により調整する第４のステップと、この第４のステップで調整された高域側の周波数帯域の動き量検出信号および最も低域の周波数帯域の動き量検出信号に基づいて、それぞれフィードバック係数を発生する第５のステップと、第２のステップで得られた複数の周波数帯域の信号にそれぞれ第５のステップで発生された複数のフィードバック係数を掛算し、この掛算によって得られた複数の信号を加算する第６のステップと、この第６のステップで得られた信号を抽出されたノイズとし、このノイズを現フィールドまたは現フレームの画像信号から差し引いてノイズ除去が行われた現フィールドまたは現フレームの画像信号を得る第７のステップとを備えるものである。
【００２９】
この発明においては、現フィールドまたは現フレームの画像信号から１フィールド前または１フレーム前の画像信号が差し引かれて減算信号が得られる。この減算信号にはノイズの他に動き成分も含まれる。
【００３０】
この減算信号は複数の周波数帯域の信号に分割される。そして、分割された複数の周波数帯域の信号のそれぞれに基づいて複数の動き量検出信号が得られる。例えば、複数の周波数帯域の信号のそれぞれについて、絶対値をとると共に、一定レベル以上の絶対値信号に対して出力信号のレベルを一定値に抑えることで動き量検出信号が得られる。
【００３１】
このように得られる複数の動き量検出信号のうち、最も低域の周波数帯域を除く高域側の周波数帯域の動き量検出信号のそれぞれが、最も低域の周波数帯域の動き量検出信号により調整される。例えば、高域側の周波数帯域の動き量検出信号のそれぞれについて、この動き量検出信号と最も低域の周波数帯域の動き量検出信号に所定係数を掛けた信号とから最大のものが選択され、この選択された信号が、調整された動き量検出信号とされる。
【００３２】
高周波帯域の動きがあるときは、低周波帯域も一緒に動いている。また、高周波帯域の動き量検出において、波長とフィールドまたはフレーム当たりの移動速度が同じになるような動き速度のときには、動き量の検出が不可能となる。上述のように、最も低域の周波数帯域を除く高域側の周波数帯域の動き量検出信号のそれぞれを、最も低域の周波数帯域の動き量検出信号により調整することで、高域の動き検出の抜けを防止できる。
【００３３】
上述したように調整された高域側の動き量検出信号、および最も低域の周波数帯域の動き量検出信号のそれぞれに基づいて複数のフィードバック係数が発生される。そして、複数の周波数帯域の信号にそれぞれ複数のフィードバック係数が掛算され、得られた信号がそれぞれの周波数帯域で抽出されたノイズとされる。
【００３４】
そして、これら各周波数帯域で抽出されたノイズが加算され、現フィールドまたは現フレームの画像信号から、この加算されたノイズが差し引かれ、ノイズ除去が行われる。
【００３５】
上述したように、複数の周波数帯域に分割し、各周波数帯域毎に動き量検出信号を得てフィードバック量を制御する場合に、高域側の周波数帯域の動き量検出信号を最も低域の周波数帯域の動き検出量によって調整することで、高域側の周波数帯域における動き検出の抜けが防止される。これにより、高域側の周波数帯域におけるフィードバック量の制御が改善され、高域の残像軽減効果が改善される。
【００３６】
この発明に係る画像信号処理装置は、ノイズ除去が行われた１フィールド前の画像信号と現フィールドの画像信号とを用いてノイズを抽出し、このノイズを現フィールドの画像信号から差し引いてノイズ除去が行われた現フィールドの画像信号を得る巡回型ノイズリダクション部と、この巡回型ノイズリダクション部の出力信号を１フィールド期間だけ遅延させる遅延回路と、巡回型ノイズリダクション部の出力信号および遅延回路の出力信号に基づいて動きベクトルを検出する動きベクトル検出回路と、この動きベクトル検出回路で検出される動きベクトルにより遅延回路の出力信号に対して動きベクトル補正を行ってノイズ除去が行われた１フィールド前の画像信号を得る動きベクトル補正回路と、巡回型ノイズリダクション部の出力信号および動きベクトル補正回路の出力信号に基づいて、プログレッシブ方式の画像信号を得るフィールド間補間回路とを備えるものである。
【００３７】
この発明においては、巡回型ノイズリダクション部で用いる１フィールド前の画像信号を得るための遅延回路および動きベクトル補正回路が、プログレッシブ方式の画像信号を得るためのフィールド間補間回路で用いる１フィールド前の画像信号を得るためにも使用されるため、回路規模を大幅に縮小でき、安価に構成できる。
【００３８】
【発明の実施の形態】
以下、図面を参照しながら、この発明の実施の形態について説明する。
図１は、実施の形態としての画像表示装置１００の構成を示している。
この画像表示装置１００は、デジタル画像信号Ｖｉｎが入力される入力端子１０１を有している。本実施の形態において、画像信号Ｖｉｎは１０８０ｉ信号である。１０８０ｉ信号は、ライン数が１０８０本でインタレース方式の画像信号を意味している。
【００３９】
また、画像表示装置１００は、入力端子１０１に入力されるデジタル画像信号Ｖｉｎの帯域を制限し、後述するスケーリング処理等において折り返し歪みが発生することを防止するためのローパスフィルタ１０２を有している。
【００４０】
また、画像表示装置１００は、ローパスフィルタ１０２で帯域制限がされた画像信号からノイズを除去し、さらにノイズが除去された画像信号をインタレース方式からプログレッシブ方式に変換するＩＰ（ｉｎｔｅｒｌａｃｅ−ｐｒｏｇｒｅｓｓｉｖｅ）変換・ＮＲ（ｎｏｉｓｅ　ｒｅｄｕｃｔｉｏｎ）回路１０３を有している。このＩＰ変換・ＮＲ回路１０３では、後述するように、ノイズ除去を巡回型ＮＲ部３０２によって行っている。
【００４１】
また、画像表示装置１００は、ＩＰ変換・ＮＲ回路１０３より出力される画像信号Ｖ１を用いて、後述するディスプレイ１０５の表示フォーマットに対応したフォーマットの画像信号Ｖ２に変換するスケーリング回路１０４を有している。本実施の形態において、画像信号Ｖ２はＷ−ＸＧＡ用の７６８ｐ信号である。７６８ｐ信号は、ライン数が７６８本のプログレッシブ方式の画像信号を意味している。
【００４２】
また、画像表示装置１００は、スケーリング回路１０４より出力される画像信号Ｖ２による画像を表示するためのディスプレイ１０５を有している。このディスプレイ１０５は、例えばＷ−ＸＧＡに適応したＰＤＰ（ｐｌａｓｍａ　ｄｉｓｐｌａｙ　ｐａｎｅｌ）である。
【００４３】
図１に示す画像表示装置１００の動作を説明する。
入力端子１０１にはデジタル画像信号Ｖｉｎが入力される。この画像信号Ｖｉｎは、ローパスフィルタ１０２で帯域制限され、その後に、ＩＰ変換・ＮＲ回路１０３に供給される。
【００４４】
ＩＰ変換・ＮＲ回路１０３は、ローパスフィルタ１０２で帯域制限された画像信号からＮＲ部３０２によってノイズを除去し、さらにノイズが除去された画像信号をインタレース方式からプログレッシブ方式に変換する。このＩＰ変換・ＮＲ回路１０３から出力される画像信号Ｖ１は、１０８０ｐ信号となる。１０８０ｐ信号は、ライン数が１０８０本のプログレッシブ方式の画像信号を意味している。
【００４５】
ＩＰ変換・ＮＲ回路１０３から出力される画像信号Ｖ１はスケーリング回路１０４に供給される。スケーリング回路１０４は、画像信号Ｖ１に対して、ライン数および画素数の変換処理を行って、Ｗ−ＸＧＡ用の７６８Ｐ信号である画像信号Ｖ２を生成する。
【００４６】
このようにスケーリング回路１０４で生成される画像信号Ｖ２はディスプレイ１０５に供給される。そして、このディスプレイ１０５の画面には、画像信号Ｖ２による画像が表示される。
【００４７】
次に、ＩＰ変換・ＮＲ回路１０３の詳細を説明する。図２は、ＩＰ変換・ＮＲ回路１０３の構成を示している。
このＩＰ変換・ＮＲ回路１０３は、画像信号Ｖｉｎが入力される入力端子３０１と、この入力端子３０１に入力される画像信号Ｖｉｎが現フィールドの画像信号Ｖ０として入力されると共に、後述する動きベクトル補正回路３０４より出力される動きベクトル補正された１フィールド前の画像信号Ｖ−１′が入力され、ノイズ除去を行う巡回型ＮＲ（ｎｏｉｓｅ　ｒｅｄｕｃｔｉｏｎ）部３０２とを有している。
【００４８】
また、ＩＰ変換・ＮＲ回路１０３は、ＮＲ部３０２より出力されるノイズ除去後の現フィールドの画像信号Ｖ０′を１フィールド期間だけ遅延する遅延回路３０３と、この遅延回路３０３より出力される１フィールド前の画像信号Ｖ−１に対して動きベクトル補正を行って、動きベクトル補正された１フィールド前の画像信号Ｖ−１′を得る動きベクトル補正回路３０４とを有している。
【００４９】
また、ＩＰ変換・ＮＲ回路１０３は、遅延回路３０３より出力される１フィールド前の画像信号Ｖ−１に基づいて、各ラインの間に位置するラインの信号を生成する垂直補間回路３０５を有している。この垂直補間回路３０５より出力される画像信号Ｖｃは、ＮＲ部３０２より出力されるノイズ除去後の現フィールドの画像信号Ｖ０′と同一位置のラインの信号を持つものとなる。
【００５０】
また、ＩＰ変換・ＮＲ回路１０３は、ＮＲ部３０２より出力されるノイズ除去後の現フィールドの画像信号Ｖ０′および垂直補間回路３０５より出力される画像信号Ｖｃに基づいて、周知のブロックマッチング法、勾配法等によって、例えば８×４画素のブロック単位で、動きベクトルＭＶを検出する動きベクトル検出回路３０６を有している。上述した動きベクトル補正回路３０４は、この動きベクトル検出回路３０６で検出される動きベクトルＭＶに基づいて、動きベクトル補正を行う。
【００５１】
また、ＩＰ変換・ＮＲ回路１０３は、フィールド間補間回路３０７およびフィールド内補間回路３０８を有している。フィールド間補間回路３０７は、動きベクトル補正回路３０４より出力される１フィールド前の画像信号Ｖ−１′およびＮＲ部３０２より出力される現フィールドの画像信号Ｖ０′に基づいて、フィールド間補間を行ってプログレッシブ方式の画像信号Ｖｐ１（１０８０ｐ信号）を得るものである。フィールド内補間回路３０８は、ＮＲ部３０２より出力される現フィールドの画像信号Ｖ０′に基づいて、フィールド内補間を行ってプログレッシブ方式の画像信号Ｖｐ２（１０８０ｐ信号）を得るものである。
【００５２】
また、ＩＰ変換・ＮＲ回路１０３は、フィールド間補間回路３０７、フィールド内補間回路３０８より出力される画像信号Ｖｐ１，Ｖｐ２に基づいて、動きベクトルが有効か無効かを検出するベクトル有効・無効検出回路３０９を有している。このベクトル有効・無効検出回路３０９は、画素毎に、画像信号Ｖｐ１，Ｖｐ２を構成する画素データの差分値を求め、その差分値が予め定められたしきい値より大きいときは無効とし、一方その差分値がしきい値以下であるときは有効とする。そして、ベクトル有効・無効検出回路３０９は、画素毎に、動きベクトルが有効か無効かを示す検出信号ＤＥＴを出力する。この検出信号ＤＥＴは、例えば動きベクトルが有効であるときは“１”とされ、無効であるときは“０”とされる。
【００５３】
また、ＩＰ変換・ＮＲ回路１０３は、フィールド間補間回路３０７より出力される画像信号Ｖｐ１またはフィールド内補間回路３０８より出力される画像信号Ｖｐ２を、ベクトル有効・無効検出回路３０９より出力される検出信号ＤＥＴに基づいて選択的に取り出すスイッチ回路３１０を有している。スイッチ回路３１０のａ側の固定端子には画像信号Ｖｐ１が供給され、そのｂ側の固定端子には画像信号Ｖｐ２が供給される。そして、検出信号ＤＥＴが“１”であって動きベクトルが有効であるときは、スイッチ回路３１０は、ａ側に接続した状態となり、画像信号Ｖｐ１を取り出す。一方、検出信号ＤＥＴが“０”であって動きベクトルが無効であるときは、スイッチ回路３１０は、ｂ側に接続した状態となり、画像信号Ｖｐ２を取り出す。
【００５４】
また、ＩＰ変換・ＮＲ回路１０３は、遅延回路３０３より出力される１フィールド前の画像信号Ｖ−１およびＮＲ部３０２より出力される現フィールドの画像信号Ｖ０′に基づいて、フィールド間補間を行ってプログレッシブ方式の画像信号Ｖｐ３（１０８０ｐ信号）を得るフィールド間補間回路３１１を有している。
【００５５】
また、ＩＰ変換・ＮＲ回路１０３は、ＮＲ部３０２より出力される現フィールドの画像信号Ｖ０′および垂直補間回路３０５より出力される画像信号Ｖｃの差分値を画素毎に検出する減算器３１２と、この減算器３１２で得られる差分値の絶対値をとる絶対値化回路（ＡＢＳ）３１３と、この絶対値化回路３１３で得られる絶対値に基づいて動き検出信号ＭＤＴを得る比較回路３１４とを有している。この場合、比較回路３１４は、絶対値を予め定められたしきい値と比較し、その絶対値がしきい値より大きいときは、動き検出信号ＭＤＴとして動きありを示す“１”を出力し、一方その絶対値がしきい値以下であるときは、動き検出信号ＭＤＴとして動きなしを示す“０”を出力する。
【００５６】
また、ＩＰ変換・ＮＲ回路１０３は、スイッチ回路３１０で取り出された画像信号Ｖｐ４またはフィールド間補間回路３１１より出力される画像信号Ｖｐ３を、比較回路３１４より出力される動き検出信号ＭＤＴに基づいて選択的に取り出すスイッチ回路３１５を有している。スイッチ回路３１５のａ側の固定端子には画像信号Ｖｐ４が供給され、そのｂ側の固定端子には画像信号Ｖｐ３が供給される。そして、動き検出信号ＭＤＴが“１”であって動きありを示すときは、スイッチ回路３１５は、ａ側に接続した状態となり、画像信号Ｖｐ４を取り出す。一方、動き検出信号ＭＤＴが“０”であって動きなしを示すときは、スイッチ回路３１０は、ｂ側に接続した状態となり、画像信号Ｖｐ３を取り出す。
【００５７】
また、ＩＰ変換・ＮＲ回路１０３は、スイッチ回路３１５で取り出された画像信号を、画像信号Ｖ１として出力する出力端子３１６を有している。
【００５８】
図２に示すＩＰ変換・ＮＲ回路１０３の動作を説明する。
入力端子３０１に入力される画像信号Ｖｉｎは、ＮＲ部３０２に、現フィールドの画像信号Ｖ０として入力される。また、このＮＲ部３０２に、動きベクトル補正回路３０４より出力される、動きベクトル補正された１フィールド前の画像信号Ｖ−１′が入力される。ＮＲ部３０２は、画像信号Ｖ０，Ｖ−１′を用いてノイズを抽出し、このノイズを現フィールドの画像信号Ｖ０から差し引いて、ノイズ除去が行われた現フィールドの画像信号Ｖ０′を得る。
【００５９】
ＮＲ部３０２より出力されるノイズ除去後の現フィールドの画像信号Ｖ０′は遅延回路３０３で１フィールド期間だけ遅延され、その後に動きベクトル補正回路３０４に供給される。また、遅延回路３０３より出力される１フィールド前の画像信号Ｖ−１は垂直補間回路３０５に供給される。この垂直補間回路３０５は、画像信号Ｖ−１に基づいて、各ラインの間に位置するラインの信号を生成する。つまり、この垂直補間回路３０５は、ＮＲ部３０２より出力される画像信号Ｖ０′と同一位置のラインの信号を持つ、画像信号Ｖｃを生成する。
【００６０】
ＮＲ部３０２より出力される現フィールドの画像信号Ｖ０′および垂直補間回路３０５より出力される画像信号Ｖｃは動きベクトル検出回路３０６に供給される。動きベクトル検出回路３０６は、これら画像信号Ｖ０′，Ｖｃに基づいて、周知のブロックマッチング法、勾配法等によって、例えば８×４画素のブロック単位で、動きベクトルＭＶを検出する。上述した動きベクトル補正回路３０４は、この動きベクトルＭＶに基づいて、動きベクトル補正を行う。
【００６１】
動きベクトル補正回路３０４より出力される１フィールド前の画像信号Ｖ−１′およびＮＲ部３０２より出力される現フィールドの画像信号Ｖ０′はフィールド間補間回路３０７に供給される。フィールド間補間回路３０７は、これら画像信号Ｖ−１′，Ｖ０′に基づいて、フィールド間補間を行ってプログレッシブ方式の画像信号Ｖｐ１（１０８０ｐ信号）を得る。この画像信号Ｖｐ１はスイッチ回路３１０のａ側の固定端子に供給される。
【００６２】
ＮＲ部３０２より出力される現フィールドの画像信号Ｖ０′はフィールド内補間回路３０８に供給される。フィールド内補間回路３０８は、この画像信号Ｖ０′に基づいて、フィールド内補間を行ってプログレッシブ方式の画像信号Ｖｐ２（１０８０ｐ信号）を得る。この画像信号Ｖｐ２はスイッチ回路３１０のｂ側の固定端子に供給される。
【００６３】
フィールド間補間回路３０７、フィールド内補間回路３０８より出力される画像信号Ｖｐ１，Ｖｐ２はベクトル有効・無効検出回路３０９に供給される。ベクトル有効・無効検出回路３０９は、これら画像信号Ｖｐ１，Ｖｐ２に基づいて、画素毎に、動きベクトルが有効か無効かを検出し、検出信号ＤＥＴを出力する。
【００６４】
この検出信号ＤＥＴはスイッチ回路３１０に制御信号として供給される。動きベクトルが有効であるときスイッチ回路３１０はａ側に接続され、このスイッチ回路３１０からはフィールド間補間回路３０７で生成された画像信号Ｖｐ１が取り出される。一方、動きベクトルが無効であるときスイッチ回路３１０はｂ側に接続され、このスイッチ回路３１０からはフィールド内補間回路３０８で生成された画像信号Ｖｐ２が取り出される。
【００６５】
このように、動きベクトルが有効であるときは、スイッチ回路３１０で、動きベクトル補正された１フィールド前の画像信号Ｖ−１′を用いてフィールド間補間によって生成された画像信号Ｖｐ１が取り出されるものであり、画像信号Ｖｐ４として高解像度の画像信号を得ることができる。一方、動きベクトルが無効であるときは、スイッチ回路３１０で、動きベクトル補正された１フィールド前の画像信号Ｖ−１′を用いずに、現フィールドの画像信号Ｖ０のみからフィールド内補間によって生成された画像信号Ｖｐ２が取り出されるものでり、画像信号Ｖｐ４として、無効な動きベクトルで動きベクトル補正された１フィールド前の画像信号Ｖ−１′の影響のない画像信号を得ることができる。
【００６６】
遅延回路３０３より出力される１フィールド前の画像信号Ｖ−１およびＮＲ部３０２より出力される現フィールドの画像信号Ｖ０′はフィールド間補間回路３１１に供給される。フィールド間補間回路３１１は、これら画像信号Ｖ−１，Ｖ０′に基づいて、フィールド間補間を行ってプログレッシブ方式の画像信号Ｖｐ３（１０８０ｐ信号）を得る。この画像信号Ｖｐ３はスイッチ回路３１５のｂ側の固定端子に供給される。このスイッチ回路３１５のａ側の固定端子には、スイッチ回路３１０で取り出される画像信号Ｖｐ４が供給される。
【００６７】
ＮＲ部３０２より出力される現フィールドの画像信号Ｖ０′および垂直補間回路３０５より出力される画像信号Ｖｃは減算器３１２に供給される。減算器３１２は、これら画像信号Ｖ０′，Ｖｃの差分値を画素毎に検出する。この減算器３１２で検出された画素毎の差分値は絶対値化回路３１３で絶対値化され、その絶対値は比較回路３１４に供給される。比較回路３１４は、その絶対値に基づいて、動きあり、動きなしを示す動き検出信号ＭＤＴを得る。
【００６８】
この動き検出信号ＭＤＴはスイッチ回路３１５に制御信号として供給される。動きありのときスイッチ回路３１５はａ側に接続され、このスイッチ回路３１５からはスイッチ回路３１０で取り出された画像信号Ｖｐ４が取り出される。一方、動きなしのときスイッチ回路３１５はｂ側に接続され、このスイッチ回路３１５からはフィールド間補間回路３１１で生成された画像信号Ｖｐ３が取り出される。
【００６９】
このように、動きありのときは、スイッチ回路３１５で、スイッチ回路３１０で取り出された画像信号Ｖｐ４が取り出されるものであり、画像信号Ｖ１として、画像に動きがある場合にボケが生じないような画像信号を得ることができる。一方、動きなしのときは、スイッチ回路３１５で、フィールド間補間によって生成された画像信号Ｖｐ３が取り出されるものであり、画像信号Ｖ１として、２フィールドの画像信号を用いて生成された高解像度の画像信号を得ることができる。
【００７０】
スイッチ回路３１５で取り出される画像信号は、画像信号Ｖ１として出力端子３１６に出力される。この画像信号Ｖ１は、画像信号Ｖｉｎ（Ｖ０）からＮＲ部３０２でノイズを除去し、さらにノイズが除去された画像信号Ｖ０′をインタレース方式からプログレッシブ方式に変換することで生成されたものである。
【００７１】
図２に示すＩＰ変換・ＮＲ回路１０３では、ＮＲ部３０２で用いる１フィールド前の画像信号Ｖ−１′を得るための遅延回路３０３および動きベクトル補正回路３０４が、プログレッシブ方式の画像信号Ｖｐ１，Ｖｐ３を得るためのフィールド間補間回路３０７，３１１で用いる１フィールド前の画像信号Ｖ−１′，Ｖ−１を得るためにも使用されるため、回路規模を大幅に縮小でき、安価に構成できる。
【００７２】
次に、ＮＲ部３０２の詳細を説明する。図３は、ＮＲ部３０２の構成を示している。このＮＲ部３０２では、周波数帯域を低周波帯域および高周波帯域に２分割し、分割された周波数帯域毎に動き量検出信号を得てフィードバック量を制御するものである。
【００７３】
このＮＲ部３０２は、現フィールドの画像信号Ｖ０が入力される入力端子４０１と、動きベクトル補正された１フィールド前の画像信号Ｖ−１′が入力される入力端子４０２と、入力端子４０２に入力される１フィールド前の画像信号Ｖ−１′に基づいて、各ラインの間に位置するラインの信号を生成する垂直補間回路４２２を有している。この場合、垂直補間回路４２２より出力される画像信号Ｖｃ−１は、入力端子４０１に入力される現フィールドの画像信号Ｖ０と同一位置のラインの信号を持つものとなる。
【００７４】
また、ＮＲ部３０２は、入力端子４０１に入力される画像信号Ｖ０から、垂直補間回路４２２より出力される画像信号Ｖｃ−１を差し引いて減算信号を得る減算器４０３を有している。この減算信号にはノイズの他に動き成分も含まれる。
【００７５】
また、ＮＲ部３０２は、減算器４０３より出力される減算信号から低周波帯域の信号ＳＬを取り出すローパスフィルタ４０４と、その減算信号から低周波帯域の信号ＳＬを差し引いて高周波帯域の信号ＳＨを取り出す減算器４０５とを有している。
【００７６】
また、ＮＲ部３０２は、ローパスフィルタ４０４で取り出される信号ＳＬの絶対値をとると共に、一定レベル以上の絶対値信号に対して出力信号のレベルを一定値に抑えて低周波帯域の動き量検出信号ＭＤＬを得る絶対値化リミッタ（ＡＢＳリミッタ）４０６を有している。図４は、画像信号が１サンプル８ビットの信号であって黒レベルが１６、白レベルが２４０である場合における、絶対値化リミッタ４０６の入出力特性の一例を示しており、出力信号のレベルが３２に抑えられている。
【００７７】
また、ＮＲ部３０２は、絶対化リミッタ４０６で得られた動き量検出信号ＭＤＬを、少なくとも水平方向または垂直方向に引き延ばすための引き延ばし回路４０７を有している。
【００７８】
図５は、引き延ばし回路４０７の一例（４０７Ａ）を示している。この引き延ばし回路４０７Ａは、水平方向のみの引き延ばしを行うものである。絶対値化リミッタ４０６で得られる動き量検出信号ＭＤＬを、１画素時間（Ｄ）分の遅延時間を持つ遅延回路１１，１２の直列回路を介して最大値回路１３に供給する。また、遅延回路１１の入力信号および出力信号を最大値回路１３に供給する。
【００７９】
ここで、遅延回路１１の出力信号が注目画素に対応した動き量検出信号ａ０であるとき、遅延回路１１の入力信号は注目画素の直後の画素に対応した動き量検出信号ａ１となり、遅延回路１２の出力信号は注目画素の直前の画素に対応した動き量検出信号ａ−１となる。
【００８０】
最大値回路１３は、動き量検出信号ａ−１，ａ０，ａ１のうち最大のものを取り出し、注目画素に対応した動き量検出信号として出力する。これにより、引き延ばし回路４０７Ａからは、水平方向に引き延ばしが行われた動き量検出信号ＭＤＬ′が得られる。図６は、引き延ばし回路４０７Ａの各部の信号の一例を示している。
【００８１】
なお、図５の引きのばし回路４０７Ａでは、水平方向の注目画素を含む水平方向の３画素に対応した動き量検出信号を使用したものであるがこれに限定されない。使用する画素の数が多いほど、水平方向への引き延ばし量が大きくなる。図示は省略するが、動き量検出信号ＭＤＬの垂直方向への引き延ばしも同様の回路で行うことができる。その場合、遅延回路１１，１２が１水平期間（１Ｈ）分の遅延時間を持つようにすればよい。
【００８２】
また、図７は、引き延ばし回路４０７の他の例（４０７Ｂ）を示している。この引き延ばし回路４０７Ｂは、水平方向および垂直方向の引き延ばしを行うものである。絶対値化リミッタ４０６で得られる動き量検出信号ＭＤＬを、１画素時間（Ｄ）分の遅延時間を持つ遅延回路２１，２２の直列回路を介して最大値回路２９に供給すると共に、遅延回路２１の入力信号および出力信号を最大値回路２９に供給する。
【００８３】
また、遅延回路２１の入力信号を、１水平期間（１Ｈ）分の遅延時間を持つ遅延回路２３、１画素時間（Ｄ）分の遅延時間を持つ遅延回路２４，２５の直列回路を介して最大値回路２９に供給すると共に、遅延回路２４の入力信号および出力信号を最大値回路２９に供給する。
【００８４】
また、遅延回路２４の入力信号を、１水平期間（１Ｈ）分の遅延時間を持つ遅延回路２６、１画素時間（Ｄ）分の遅延時間を持つ遅延回路２７，２８の直列回路を介して最大値回路２９に供給すると共に、遅延回路２７の入力信号および出力信号を最大値回路２９に供給する。
【００８５】
ここで、遅延回路２４の出力信号が注目画素に対応した動き量検出信号ａ０，０であるとき、遅延回路２４の入力信号は注目画素の直後の画素に対応した動き量検出信号ａ０，１となり、遅延回路２５の出力信号は注目画素の直前の画素に対応した動き量検出信号ａ０，−１となる。また、遅延回路２２の出力信号、遅延回路２１の入力信号および出力信号は、動き量検出信号ａ０，−１，ａ０，０，ａ０，１に対して１ライン後の動き量検出信号ａ１，−１，ａ１，０，ａ１，１となる。また、遅延回路２８の出力信号、遅延回路２７の入力信号および出力信号は、動き量検出信号ａ０，−１，ａ０，０，ａ０，１に対して１ライン前の動き量検出信号ａ−１，−１，ａ−１，０，ａ−１，１となる。
【００８６】
最大値回路２９は、動き量検出信号ａ１，−１，ａ１，０，ａ１，１，ａ０，−１，ａ０，０，ａ０，１，ａ−１，−１，ａ−１，０，ａ−１，１のうち最大のものを取り出し、注目画素に対応した動き量検出信号として出力する。これにより、引き延ばし回路４０７Ｂからは、水平方向および垂直方向に引き延ばしが行われた動き量検出信号ＭＤＬ′が得られる。
【００８７】
図３に戻って、また、ＮＲ部３０２は、引き延ばし回路４０７で引き延ばされた動き量検出信号ＭＤＬ′に基づいてフィードバック係数ｋＬを発生する係数発生器４０８を有している。
【００８８】
図８は、係数発生器４０８の入出力特性の一例を示している。動き量検出信号ＭＤＬ′が２以下のときはフィードバック係数ｋＬが０．９５とされ、動き量検出信号ＭＤＬ′が２〜３２のときは、フィードバック係数ｋＬが０．９５〜０とされる。
【００８９】
また、ＮＲ部３０２は、ローパスフィルタ４０４で取り出される信号ＳＬの時間調整を行うための遅延回路４０９を有している。この遅延回路４０９の遅延時間は、引き延ばし回路４０７で動き量検出信号ＭＤＬ′を得る際の時間遅延に対応したものとされる。
【００９０】
例えば、引き延ばし回路４０７が、図５に示すように、水平方向のみの引き延ばしを行う引き延ばし回路４０７Ａであるとき、この遅延回路４０９は、１画素時間（Ｄ）分の遅延時間を持つ遅延回路１４で構成される。また例えば、引き延ばし回路４０７が、図７に示すように、水平方向および垂直方向の引き延ばしを行う引き延ばし回路４０７Ｂであるとき、この遅延回路４０９は、１水平期間（１Ｈ）分の遅延時間を持つ遅延回路３１および１画素時間（Ｄ）の遅延時間を持つ遅延回路３２の直列回路で構成される。
【００９１】
また、ＮＲ部３０２は、遅延回路４０９で時間調整された信号ＳＬに係数発生器４０８で発生された係数ｋＬを掛算する掛算器４１０を有している。この場合、掛算器４１０の出力信号は、低周波帯域における抽出ノイズｎＬとなる
また、ＮＲ部３０２は、減算器４０５で取り出された高周波帯域の信号ＳＨの絶対値をとると共に、一定レベル以上の絶対値信号に対して出力信号のレベルを一定値に抑えて高周波帯域の動き量検出信号ＭＤＨを得る絶対値化リミッタ（ＡＢＳリミッタ）４１１を有している。詳細説明は省略するが、この絶対値化リミッタ４１１は、上述した低周波帯域部分の絶対値化リミッタ４０６と同様の入出力特性を持っている（図４参照）。なお、絶対値化リミッタ４０６，４１１の入出力特性が異なるようにしてもよい。
【００９２】
また、ＮＲ部３０２は、絶対化リミッタ４１１で得られた動き量検出信号ＭＤＨを、少なくとも水平方向または垂直方向に引き延ばすための引き延ばし回路４１２を有している。詳細説明は省略するが、この引き延ばし回路４１２は、上述した低周波帯域部分の引き延ばし回路４０７と同様に構成されている（図５、図７参照）。
【００９３】
また、ＮＲ部３０２は、低周波帯域部分の引き延ばし回路４０７で引き延ばされた低周波帯域の動き量検出信号ＭＤＬ′に所定係数α（０＜α≦１）、例えば１／４を掛算する掛算器４１３と、この掛算器４１３の出力信号および引き延ばし回路４１２で引き延ばされた高周波帯域の動き量検出信号ＭＤＨ′のうち最大のものを取り出し、高周波帯域の動き量検出信号ＭＤＨ″として出力する最大値回路４１４とを有している。
【００９４】
ここで、掛算器４１３および最大値回路４１４により、信号調整手段が構成されており、動き量検出信号ＭＤＨ′は動き量検出信号ＭＤＬ′により調整される。この場合、最大値回路４１４は、動き量検出信号ＭＤＨ′が動き量検出信号ＭＤＬ′のα倍以上であるときは、動き量検出信号ＭＤＨ′を取り出し、一方動き量検出信号ＭＤＨ′が動き量検出信号ＭＤＬ′のα倍より小さいときは、掛算器４１３の出力信号を取り出す。
【００９５】
なお、動き量検出信号ＭＤＨ′を動き量検出信号ＭＤＬ′によって調整する仕方は、掛算器４１３および最大値回路４１４によるものでなくてもよい。要は、動き量検出信号ＭＤＨ′が動き量検出信号ＭＤＬ′に比べて極端に小さい場合に、この動き量検出信号ＭＤＨ′が大きくなるように調整されるものであればよい。
【００９６】
また、ＮＲ部３０２は、最大値回路４１４で得られた動き量検出信号ＭＤＨ″に基づいてフィードバック係数ｋＨを発生する係数発生器４１５を有している。詳細説明は省略するが、この係数発生器４１５は、上述した低周波帯域部分の係数発生器４０８と同様の入出力特性を持っている（図８参照）。なお、係数発生器４０８，４１５の入出力特性は異なるようにしてもよい。また、これらの入出力特性を外部から変更できるようにしてもよい。
【００９７】
また、ＮＲ部３０２は、減算器４０５で取り出された信号ＳＨの時間調整を行うための遅延回路４１６を有している。この遅延回路４１６の遅延時間は、引き延ばし回路４１２で動き量検出信号ＭＤＨ′を得る際の時間遅延に対応したものとされる。これは、上述した低周波帯域部分の遅延回路４０９と同様である。
【００９８】
また、ＮＲ部３０２は、遅延回路４１６で時間調整された信号ＳＨに係数発生器４１５で発生された係数ｋＨを掛算する掛算器４１７を有している。この場合、掛算器４１７の出力信号は、高周波帯域における抽出ノイズｎＨとなる。
【００９９】
また、ＮＲ部３０２は、掛算器４１０より出力される低周波帯域における抽出ノイズｎＬおよび掛算器４１７より出力される高周波帯域における抽出ノイズｎＨを加算して全帯域における抽出ノイズｎＡＬＬを得る加算器４１８と、入力端子４０１に入力される現フィールドの画像信号Ｖ０の時間調整を行う遅延回路４１９とを有している。遅延回路４１９の遅延時間は、上述した遅延回路４０９，４１６と同様の遅延時間とされる。
【０１００】
また、ＮＲ部３０２は、遅延回路４１９で時間調整された現フィールドの画像信号Ｖ０から加算器４１８で得られた抽出ノイズｎＡＬＬを差し引き、ノイズ除去された現フィールドの画像信号Ｖ０′を得る減算器４２０と、この画像信号Ｖ０′を出力する出力端子４２１とを有している。
【０１０１】
図３に示すＮＲ部３０２の動作を説明する。
入力端子４０１には現フィールドの画像信号Ｖ０が入力され、入力端子４０２には動きベクトル補正された１フィールド前の画像信号Ｖ−１′が入力される。入力端子４０２に入力された１フィールド前の画像信号Ｖ−１′は垂直補間回路４２２に供給される。この垂直補間回路４２２は、画像信号Ｖ−１′に基づいて、各ラインの間に位置するラインの信号を生成する。つまり、この垂直補間回路４２２は、入力端子４０１に入力された現フィールドの画像信号Ｖ０と同一位置のラインの信号を持つ、画像信号Ｖｃ−１を生成する。
【０１０２】
垂直補間回路４２２で生成された画像信号Ｖｃ−１および入力端子４０１に入力された画像信号Ｖ０はそれぞれ減算器４０３に供給される。減算器４０３は、画像信号Ｖ０から画像信号Ｖｃ−１を差し引いて減算信号を得る。この減算信号にはノイズの他に動き成分も含まれる。
【０１０３】
減算器４０４で得られた減算信号はローパスフィルタ４０４に入力される。このローパスフィルタ４０４は、減算信号から低周波帯域の信号ＳＬを取り出す。また、減算器４０４で得られた減算信号およびローパスフィルタ４０４で取り出された低周波帯域の信号ＳＬは減算器４０５に供給される。この減算器４０５は、減算信号から低周波帯域の信号ＳＬを差し引いて高周波帯域の信号ＳＨを取り出す。
【０１０４】
ローパスフィルタ４０４で取り出された低周波帯域の信号ＳＬは絶対値化リミッタ４０６に供給される。絶対値化リミッタ４０６は、信号ＳＬの絶対値をとると共に、一定レベル以上の絶対値信号に対して出力信号のレベルを一定値に抑えて低周波帯域の動き量検出信号ＭＤＬを得る（図４参照）。
【０１０５】
この動き量検出信号ＭＤＬは引き延ばし回路４０７に供給される。この引き延ばし回路４０７は、動き量検出信号ＭＤＬを、少なくとも水平方向または垂直方向に引き延ばす（図５、図７参照）。この引き延ばし回路４０７で引き延ばされた動き量検出信号ＭＤＬ′は、係数発生器４０８に供給される。この係数発生器４０８は、動き量検出信号ＭＤＬ′に基づいてフィードバック係数ｋＬを発生する（図８参照）。
【０１０６】
ローパスフィルタ４０４で取り出された低周波帯域の信号ＳＬは、遅延回路４０９で時間調整され、その後に掛算器４１０に供給される。また、この掛算器４１０には、係数発生器４０８で発生されたフィードバック係数ｋＬも供給される。掛算器４１０は、時間調整された信号ＳＬにフィードバック係数ｋＬを掛算し、低周波帯域における抽出ノイズｎＬを得る。この場合、動き量検出信号ＭＤＬ′が大きいとき、このとき信号ＳＬに含まれる動き成分は多いと考えられるが、フィードバック係数ｋＬは小さくされるので、動き成分が抽出ノイズｎＬとなることが抑制される。これにより、この抽出ノイズｎＬを現フィールドの画像信号Ｖ０から減算してノイズ除去をすることによって発生する残像を低減できる。
【０１０７】
また、減算器４０５で得られた高周波帯域の信号ＳＨは、絶対値化リミッタ４１１に供給される。絶対値化リミッタ４１１は、信号ＳＨの絶対値をとると共に、一定レベル以上の絶対値信号に対して出力信号のレベルを一定値に抑えて高周波帯域の動き量検出信号ＭＤＨを得る（図４参照）。この動き量検出信号ＭＤＨは引き延ばし回路４１２に供給される。この引き延ばし回路４１２は、動き量検出信号ＭＤＨを、少なくとも水平方向または垂直方向に引き延ばす（図５、図７参照）。この引き延ばし回路４１２で引き延ばされた高周波帯域の動き量検出信号ＭＤＨ′は最大値回路４１４に供給される。
【０１０８】
上述した低周波帯域部分の引き延ばし回路４０７で引き延ばされた低周波帯域の動き量検出信号ＭＤＬ′は、掛算器４１３で所定係数α、例えば１／４が掛算された後に最大値回路４１４に供給される。最大値回路４１４は、掛算器４１３の出力信号および高周波帯域の動き量検出信号ＭＤＨ′のうち最大のものを取り出し、高周波帯域の動き量検出信号ＭＤＨ″として出力する。
【０１０９】
この場合、最大値回路４１４は、動き量検出信号ＭＤＨ′が動き量検出信号ＭＤＬ′のα倍以上であるときは、動き量検出信号ＭＤＨ′を取り出し、一方動き量検出信号ＭＤＨ′が動き量検出信号ＭＤＬ′のα倍より小さいときは、掛算器４１３の出力信号を取り出す。これにより、動き量検出信号ＭＤＨ′が動き量検出信号ＭＤＬ′に比べて極端に小さい場合、この動き量検出信号ＭＤＨ′が大きくなるように調整されることとなる。
【０１１０】
最大値回路４１４で得られた動き量検出信号ＭＤＨ″は係数発生器４１５に供給される。この係数発生器４１５は、動き量検出信号ＭＤＨ″に基づいてフィードバック係数ｋＨを発生する（図８参照）。
【０１１１】
減算器４０５で取り出された高周波帯域の信号ＳＨは、遅延回路４１６で時間調整され、その後に掛算器４１７に供給される。また、この掛算器４１７には、係数発生器４１５で発生されたフィードバック係数ｋＨも供給される。掛算器４１７は、時間調整された信号ＳＨにフィードバック係数ｋＨを掛算し、高周波帯域における抽出ノイズｎＨを得る。この場合、動き量検出信号ＭＤＨ′が大きいとき、このとき信号ＳＨに含まれる動き成分は多いと考えられるが、フィードバック係数ｋＨは小さくされるので、動き成分が抽出ノイズｎＨとなることが抑制される。これにより、この抽出ノイズｎＨを現フィールドの画像信号Ｖ０から減算してノイズ除去をすることによって発生する残像を低減できる。
【０１１２】
このように掛算器４１７で得られた高周波帯域における抽出ノイズｎＨは加算器４１８に供給される。この加算器４１８には、上述した掛算器４１０で得られた低周波帯域における抽出ノイズｎＬも供給される。加算器４１８は、これら抽出ノイズｎＨ，ｎＬを加算して全帯域の抽出ノイズｎＡＬＬを得る。
【０１１３】
この全帯域の抽出ノイズｎＡＬＬは減算器４２０に供給される。減算器４２０には、入力端子４０１に入力された現フィールドの画像信号Ｖ０が遅延回路４１９で時間調整された後に供給される。減算器４２０は、画像信号Ｖ０から抽出ノイズｎＡＬＬを差し引いて、ノイズ除去された現フィールドの画像信号Ｖ０′を得る。そして、この画像信号Ｖ０′は出力端子４２１に出力される。
【０１１４】
図３に示すＮＲ部３０２では、減算器４０３で得られた減算信号（ノイズと動き成分を含む）を、低周波帯域の信号ＳＬおよび高周波帯域の信号ＳＨに分割し、周波数帯域毎に動き量検出信号ＭＤＬ，ＭＤＨを得て、抽出ノイズｎＬ，ｎＨとなるフィードバック量を制御するものであり、周波数帯域毎に、動きがある場合の残像の軽減を最適に行うことができる。
【０１１５】
この場合、絶対値化リミッタ４１１で得られた動き量検出信号ＭＤＬ，ＭＤＨを、引き延ばし回路４０７，４１２で、少なくもと水平方向または垂直方向に伸ばしている。そのため、帯域分割によって動き量検出信号ＭＤＬ，ＭＤＨが小さくなる場合、画像信号Ｖ０に輝度差の少ない画像の動きがある場合、あるいは輪郭がはっきりしない画像の動きがある場合等で、動き開始部分で動き量検出信号ＭＤＬ，ＭＤＨが小さくなる場合であっても、当該動き開始部分で引き延ばし後の動き量検出信号ＭＤＬ′，ＭＤＨ′が大きくなり、これにより動き成分が抽出ノイズｎＬ，ｎＨとなることが抑制され、充分な残像軽減の効果を得ることができる。
【０１１６】
また、掛算器４１３および最大値回路４１４により、高周波帯域の動き量検出信号ＭＤＨ′が、低周波帯域の動き量検出信号ＭＤＬ′により調整される。すなわち、動き量検出信号ＭＤＨ′が動き量検出信号ＭＤＬ′に比べて極端に小さい場合、この動き量検出信号ＭＤＨ′が大きくなるように調整される。
【０１１７】
高周波帯域の動きがあるときは、低周波帯域も一緒に動いている。また、高周波帯域の動き量検出において、波長とフィールドまたはフレーム当たりの移動速度が同じになるような動き速度のときには、動き量の検出が不可能となる（図１１参照）。上述のように、高周波帯域の動き量検出信号ＭＤＨ′を、低周波帯域の動き量検出信号ＭＤＬ′により調整することで、高周波帯域の動き検出の抜けを防止できる。これにより、高周波帯域におけるフィードバック量の制御を改善でき、高周波帯域の残像軽減の効果を改善できる。
【０１１８】
また、図３に示すＮＲ部３０２では、１フィールド前の画像信号Ｖ−１′が動きベクトル補正が行われた画像信号であることから、減算器４０３で得られる減算信号に含まれる動き成分を少なくなる。したがって、動き成分による影響を抑制でき、ノイズ除去効果を高めることができる。
【０１１９】
なお、図３に示すＮＲ部３０２は、減算器４０３で得られた減算信号（ノイズと動き成分を含む）を、低周波帯域の信号ＳＬおよび高周波帯域の信号ＳＨに２分割し、周波数帯域毎に動き量検出信号によってフィードバック量を制御するものであるが、３以上の周波数帯域に分割し、各周波数帯域毎に動き量検出信号によってフィードバック量を制御するものも、同様に構成できる。その場合、最も低域の周波数帯域を除く高域側の周波数帯域の動き量検出信号のそれぞれを、最も低域の周波数帯域の動き量検出信号により調整するようにされる。
【０１２０】
なお、図３に示すＮＲ部３０２の動作をソフトウェアで実現することもできる。図９のフローチャートは、その場合における処理手順を示している。
【０１２１】
まず、ステップＳＴ１で、現フィールドの画像信号Ｖ０から１フィールド前の画像信号Ｖ−１′を差し引いて、減算信号を得る。そして、ステップＳＴ２で、減算信号を、低周波帯域の信号ＳＬおよび高周波帯域の信号ＳＨに分割する。
【０１２２】
次に、ステップＳＴ３で、信号ＳＬ，ＳＨに基づいて、動き量検出信号ＭＤＬ，ＭＤＨを得る。そして、ステップＳＴ４で、動き量検出信号ＭＤＬ，ＭＤＨを少なくとも水平または垂直に引き延ばして、動き量検出信号ＭＤＬ′，ＭＤＨ′を得る。
【０１２３】
次に、ステップＳＴ５で、低周波帯域の動き量検出信号ＭＤＬ′に基づいて、フィードバック係数ｋＬを生成する。そして、ステップＳＴ６で、信号ＳＬにそのフィードバック係数ｋＬを掛算して、低周波帯域の抽出ノイズｎＬを得る。
【０１２４】
次に、ステップＳＴ７で、高周波帯域の動き量検出信号ＭＤＨ′を、低周波帯域の動き量検出信号ＭＤＬ′により調整して、動き量検出信号ＭＤＨ″を得る。そして、ステップＳＴ８で、この動き量検出信号ＭＤＨ″に基づいて、フィードバック係数ｋＨを生成する。
【０１２５】
次に、ステップＳＴ９で、信号ＳＨにそのフィードバック係数ｋＨを掛算して、高周波帯域の抽出ノイズｎＨを得る。そして、ステップＳＴ１０で、ステップＳＴ６で得られた低周波帯域の抽出ノイズｎＬおよびステップＳＴ９で得られた高周波帯域の抽出ノイズｎＨを加算して全帯域の抽出ノイズｎＡＬＬを得、この抽出ノイズｎＡＬＬを現フィールドの画像信号Ｖ０から差し引き、ノイズ除去された現フィールドの画像信号Ｖ０′を得る。
【０１２６】
なお、上述実施の形態において、図３に示すＮＲ部３０２は、ノイズ除去が行われた１フィールド前の画像信号Ｖ−１′と現フィールドの画像信号Ｖ０とを用いてノイズｎＡＬＬを抽出し、このノイズｎＡＬＬを現フィールドの画像信号Ｖ０から差し引いて、ノイズ除去が行われた現フィールドの画像信号Ｖ０′を得るものを示したが、ノイズ除去が行われた１フィールド前の画像信号Ｖ−１′の代わりに、画像信号Ｖ０′を２フィールド、つまり１フレーム期間だけ遅延させて得られた２フィールド前の画像信号を用いるものであってもよい。この場合、現フレームの画像信号とノイズ除去された１フレーム前の画像信号を用いたということになる。この場合には、入力端子４０２側に挿入されている垂直補間回路４２２は不要となる。
【０１２７】
また、上述実施の形態において、図３に示すＮＲ部３０２はインターレース方式の画像信号を取り扱うものを示しているが、プログレッシブ方式の画像信号を取り扱うものも同様に構成できる。その場合、入力端子４０１には現フレームの画像信号が入力され、入力端子４０２には１フレーム前の画像信号が入力されることとなる。またその場合、入力端子４０２側に挿入されている垂直補間回路４２２は不要となる。
【０１２８】
また、上述実施の形態において、図２のＩＰ変換・ＮＲ回路では、スイッチ回路３１０からの画像信号Ｖｐ４またはフィールド間補間回路３１１で生成された画像信号Ｖｐ３を、スイッチ回路３１５において比較回路３１４からの動き検出信号ＭＤＴに基づき択一的に取り出して画像信号Ｖ１を得るものであったが、画像信号Ｖｐ４，Ｖｐ３を絶対値化回路３１３の出力信号の大きさに応じた割合でミキシングして画像信号Ｖ１を得るようにしてもよい。この場合、絶対値化回路３１３の出力信号が大きいときは画像信号Ｖｐ４の割合が大きくなり、逆にその出力信号が小さいときは画像信号Ｖｐ３の割合が大きくなる。このようにミキシングして画像信号Ｖ１を得ることで、画像信号Ｖｐ４，Ｖｐ３が滑らかに切り換えられ良い特性にできる。
【０１２９】
また、上述実施の形態において、ＩＰ変換・ＮＲ回路１０３は、入力画像信号Ｖｉｎが１０８０ｉ信号であり、出力画像信号Ｖ１が７６８ｐ信号であるものを示したが、その他のフォーマットの画像信号を取り扱うものにも、この発明を同様に適用できることは勿論である。
【０１３０】
【発明の効果】
この発明に係る巡回型のノイズリダクション装置およびノイズリダクション方法は、動き量検出信号を少なくとも水平方向または垂直方向に引き延ばし、この引き延ばされた動き量検出信号に基づいてフィードバック量を制御するものであり、帯域分割数が多い場合、輝度差の少ない画像の動きがある場合、輪郭がはっきりしない画像の動きがある場合等において、残像軽減効果を改善できる。
【０１３１】
また、この発明に係る巡回型のノイズリダクション装置およびノイズリダクション方法は、複数の周波数帯域に分割し、各周波数帯域毎に動き量検出信号を得てフィードバック量を制御する場合に、高域側の周波数帯域の動き量検出信号を最も低域の周波数帯域の動き検出量によって調整するものであり、高域側の周波数帯域におけるフィードバック量の制御を改善し、高域の残像軽減効果を改善できる。
【０１３２】
また、この発明に係る画像信号処理装置は、巡回型ノイズリダクション部で用いる１フィールド前の画像信号を得るための遅延回路および動きベクトル補正回路を、プログレッシブ方式の画像信号を得るためのフィールド間補間回路で用いる１フィールド前の画像信号を得るためにも使用するものであり、回路規模を大幅に縮小でき、安価に構成できる。
【図面の簡単な説明】
【図１】実施の形態としての画像表示装置の構成を示すブロック図である。
【図２】ＩＰ変換・ＮＲ回路の構成を示すブロック図である。
【図３】ＮＲ部の構成を示すブロック図である。
【図４】絶対値化リミッタ（ＡＢＳリミッタ）の入出力特性の一例を示す図である。
【図５】引き延ばし回路の一例を示すブロック図である。
【図６】動き量検出信号の引き延ばし例を示す図である。
【図７】引き延ばし回路の他の例を示すブロック図である。
【図８】係数発生器の入出力特性の一例を示す図である。
【図９】ＮＲ処理の手順を示すフローチャートである。
【図１０】動き量検出の問題点を説明するための図である。
【図１１】高周波帯域の動き量検出の問題点を説明するための図である。
【符号の説明】
１００・・・画像表示装置、１０１・・・入力端子、１０２・・・ローパスフィルタ、１０３・・・ＩＰ変換・ＮＲ回路、１０４・・・スケーリング回路、１０５・・・ディスプレイ、３０１・・・入力端子、３０２・・・ＮＲ部、３０３・・・遅延回路、３０４・・・動きベクトル補正回路、３０５・・・垂直補間回路、３０６・・・動きベクトル検出回路、３０７，３１１・・・フィールド間補間回路、３０８・・・フィールド内補間回路、３０９・・・ベクトル有効・無効検出回路、３１０，３１５・・・スイッチ回路、３１２・・・減算器、３１３・・・絶対値化回路、３１４・・・比較回路、３１６・・・出力端子、４０１，４０２・・・入力端子、４０３，４０５，４２０・・・減算器、４０４・・・ローパスフィルタ、４０６，４１１・・・絶対化リミッタ、４０７，４１２・・・引き延ばし回路、４０８，４１５・・・係数発生器、４０９，４１６，４１９・・・遅延回路、４１０，４１３，４１７・・・掛算器、４１４・・・最大値回路、４１８・・・加算器、４２１・・・出力端子、４２２・・・垂直補間回路
【図１】
2004096628.tif 000003
【図２】
2004096628.tif 000004
【図３】
2004096628.tif 000005
【図４】
2004096628.tif 000006
【図５】
2004096628.tif 000007
【図６】
2004096628.tif 000008
【図７】
2004096628.tif 000009
【図８】
2004096628.tif 000010
【図９】
2004096628.tif 000011
【図１０】
2004096628.tif 000012
【図１１】
2004096628.tif 000013